【事件の表示】
　特許第３０７４３０５号「光走査装置及び該装置を用いた画像形成装置」の請求項１、２に係る特許に対する特許異議の申立てについて、次のとおり決定する。
【結　論】
　訂正を認める。
　特許第３０７４３０５号の請求項１ないし２に係る特許を維持する。
【理　由】
１．手続の経緯
　本件特許第3074305号の請求項1及び2に係る発明は、昭和61年4月30日に出願された特願昭61-98323号を平成10年1月5日に分割して特許出願され、平成12年2月10日に設定登録がなされ、特許異議の申立がなされ、取消理由通知がなされ、その指定期間である平成13年6月19日に訂正請求がなされたものである。
２．訂正の適否について
　ア．訂正の内容
　訂正事項１
　特許請求の範囲の請求項１及び２の「前記トーリックレンズ（光走査用レンズ）が、ビーム入射側を主走査方向に沿って凸に湾曲させる…」を「…前記トーリックレンズ（光走査用レンズ）が、主走査方向中央位置のビーム入射側を主走査方向に沿って凸に且つビーム出射側を主走査方向に沿って凹に夫々湾曲させる…」と訂正する。
　訂正事項２
　【０００８】及び【０００９】の「前記トーリックレンズが、ビーム入射側を主走査方向に沿って凸に湾曲させる…」を「…前記トーリックレンズが、主走査方向中央位置のビーム入射側を主走査方向に沿って凸に且つビーム出射側を主走査方向に沿って凹に夫々湾曲させる…」と訂正する。
　訂正事項３
　【００２４】及び【００２７】の「…光走査用レンズ（トーリックレンズ）が、ビーム入射側を主走査方向に沿って凸に湾曲させるとともに…」を「…光走査用レンズ（トーリックレンズ）が、主走査方向中央位置のビーム入射側を主走査方向に沿って凸に且つビーム出射側を主走査方向に沿って凹に夫々湾曲させるとともに…」と訂正する。
　イ．訂正の目的の適否、新規事項の追加及び特許請求の範囲の拡張又は変更の存否
　上記訂正事項１〜３は、トーリックレンズ（光走査用レンズ）の主走査断面形状を、第1B図から直接的かつ一義的に導き出せる「ビーム出射側を主走査方向に沿って凹に湾曲させる」ことに付加的に限定するものであるから、特許明細書に記載された事項の範囲内で特許請求の範囲を減縮するものであり、新規事項を追加するものでなく、特許請求の範囲を実質的に拡張又は変更するものでもない。
　ウ．むすび
　以上のとおり、上記訂正請求は、特許法第120条の4第2項及び同条第3項で準用する平成6年法律第116号における改正前の特許法第126条第1項ただし書き及び第２項の規定に適合するので、当該訂正を認める。
３．特許異議申立について
　ア．本件発明
　訂正後の本件特許明細書の特許請求の範囲の請求項1及び2に係る発明（以下、本件発明1及び2という。）は次のとおりのものである。
「【請求項１】　変調されたビームを走査する偏向器の射出側にトーリックレンズを介在させてなる光走査装置において、
　前記トーリックレンズが、主走査方向中央位置のビーム入射側を主走査方向に沿って凸に且つビーム出射側を主走査方向に沿って凹に夫々湾曲させるとともに、前記トーリックレンズの主走査方向に沿って切断されたビーム入射側の切断形状の曲率が主走査方向の中央位置よりその両側に進むに連れ徐々に小になるとともに、前記両側までの間に曲率が正から負に変わるように設定してなる集束レンズであることを特徴とする光走査装置。
　【請求項２】　変調されたビームを走査する偏向器の射出側から被記録媒体間に光走査用レンズを介在させてなる画像形成装置において、
　前記光走査用レンズが、主走査方向中央位置のビーム入射側を主走査方向に沿って凸に且つビーム出射側を主走査方向に沿って凹に夫々湾曲させたトーリックレンズで形成し、前記光走査用レンズの主走査方向に沿って切断されたビーム入射側の切断形状の曲率が主走査方向の中央位置よりその両側に進むに連れ徐々に小になるとともに、前記両側までの間に曲率が正から負に変わるように設定してなる集束レンズであることを特徴とする画像形成装置。」
　イ．異議申立の理由の概要
　異議申立人 山口十四治は、証拠として甲第1号証（特開昭６２−１３８８２３号公報、以下、刊行物1という。）を提出し、異議申立人 神田泰貴は、証拠として甲第１号証（特開昭５８−２００２１４号公報、以下、刊行物2という。）及び甲第２号証（特開昭６２−１３９５１９号公報、以下、刊行物3という。）を提出して、本件発明1及び2は、特許法第29条第1項第3号に該当して、又は、同法同条第2項の規定に違反して、若しくは同法同条の2に違反して特許されたものであるから、それらの特許は取り消されるべき旨主張している。
　ウ．証拠に記載の発明
　刊行物1（特開昭６２−１３８８２３号公報）には以下の事項が図面と共に記載されている。
「すなわち、第１図に示されるように、光源から出射した光束は鏡面ＳＭによって多面鏡５の回転に応じた偏向角θで反射されている。走査用レンズ１はこの光束を被走査平面上で座標値Ｙが偏向角θと比例した点IIｒに結像するように設定される。」（第１図および第３頁左上欄第１６行〜第２０行）
　そして、走査用レンズ１として記載されている実施例のうち、例えば、第４表（刊行物1第１０頁）の第４７行（最下行）、第７表（第１１頁）の第４７行（最下行）に記載された実施例を見ると、第４及び第７表の第４７行は同一実施例に係る走査用レンズ１の第２面Ｓ２の、主走査方向および副走査方向の曲率半径：Ｒｍ２、Ｒｓを示しており、これらはＲｍ２＝−８９．６１、Ｒｓ＝１８．８２であって、互いに異なっている。
　また、同じく、第４及び第７表の第４２行に記載された実施例では、走査用レンズ１の第２面Ｓ２の、主走査方向および副走査方向の曲率半径は、Ｒｍ２ ＝−８４．２６、Ｒｓ＝１８．４０であって互いに異なっている。
　また、刊行物1の第１図には、走査用レンズ１のビーム入射側は、主走査方向に沿って凸に湾曲し、主走査方向に沿って切断されたビーム入射側の切断形状の曲率は、主走査方向の中央位置よりその両側に進むに連れ徐々に小になるとともに、別記両側までの間に曲率が正から負に変わっていることが示されている。
　刊行物2（特開昭５８−２００２１４号公報）には以下の事項が図面と共に記載されている。
「シリンドリカルレンズによる結像位置が走査の中央と両端とで前後にずれるという、いわゆる像面湾曲が生じる。特に解像度を向上するために、走査スポット径を小さくすればするほど、焦点深度が浅くなり、像面湾曲によって、走査に対するスポット径の変動が大きくなり、例えば走査の中央でピントを合わせても、両端ではボケるという現象が生じ、解像度の一様性が得られない。本発明の目的は、以上の欠点を除去し、走査スポットの一様性を、全走査域にわたって確保する走査光学系を提供することである」（第１頁右下欄第５行〜第１６行）
「本発明を例えばレーザービームプリンタに適用する場合を考える。第１図に示すように、レーザ光源１からのビームは、回転多面鏡２によって反射走査され、走査レンズ３によってドラム面上４にスポットとして絞り込まれる。ドラム４と、走査レンズ３との間に、走査方向の長いシリンドリカルレンズが、先述の面倒れ補正用として配置されている」（第２頁左上欄第６行〜第１３行、第１図）
「本発明は、第６図に示す如く、シリンドリカルレンズ５に曲率を持たせ、像面、すなわち、最良結像位置を結んだ線が直線となるようにし、走査に対するスポットの一様性を得んとするものである。すなわち、走査ビームの光軸に沿って測った、シリンドリカルレンズとドラム面までの距離がほぼ一定となるように、シリンドリカルレンズの曲げて使用せんとするものである。第２図に示すように、結像の位置ずれΔは、
　　　Δ＝ ｒ0（1/cosθ−1）　　　　　　　　　・・・（１）
で与えられる。従って、第７図に示すようにシリンドリカルレンズを、振れ角θに対して、走査方向に（１）式に従って曲げてやれば走査線は直線となる。（図中Ｈはシリンドリカルレンズの主面位置を示す。）例えば、ｒ0＝６０ｍｍ，θ＝１３°に対してΔ＝１．６ｍｍとなる。而して、（１）式に従う曲線は、円周上にない」（第２頁左下欄第２行〜第１８行、第６図及び第７図）
　刊行物3（特開昭６２−１３９５１９号公報）
「走査用レンズは、前述したように回転多面鏡偏向器によって等角速度で偏向されている光束を被走査面上に像面湾曲なく結像しまた被走査平面上で像面が等速で走査されるような歪みを与える機能を有する。すなわち、第１図に示されるように、光源から出射した光束は鏡面ＳＭによって多面鏡５の回転に応じた偏向角θで反射されている。走査用レンズ１はこの光束を被走査平面上で座標値Ｙが偏向角θと比例した点II1に結像するように設定される。本発明の走査用レンズは以下に述べる原理に基づいて第１図に示すＳ1、Ｓ2の両面において非球面の特徴が高度に利用された、収差が少なくしかも広角偏向が可能な単玉レンズである」（第３頁左上欄第１１行〜右上欄第３行）
「本発明によるレンズ形状は簡単な数値や数式では表現されず、例えば数値列として結果が求まる。そこで便宜上、子午面上の曲線形状については周知の非球面係数を用いた式
　　　　　　　　　・・・省略・・・
で表・・・す。・・・第１表、第２表、第３表に第１面Ｓ1の子午平面上の曲線形状を示す係数Ｒｍ1，Ｂ1，Ｃ1，Ｄ1，Ｅ1を、・・・パラメータθe，Ｘ1，Ｘ2を変化させて計算した値を掲げる」（第７頁右下欄第８行〜第８頁左上欄第８行）
「第１３図に本発明に基づくレンズ形状の一実施例を用いたレーザービームプリンタの光学系の全体像を表す斜視図を示す。半導体レーザー２から出射した光束はコリメータレンズ３で平行光束となり、シリンドリカルレンズ４によって球欠方向にのみ収束させられて回転多面鏡偏向器６の鏡面付近で線状結像する。光束は多面鏡５の回転によって子午平面内で等角速度偏向され、本発明による走査用レンズ１を通過した後、感光ドラム７上に結像する」（第１１頁右下欄第１行〜第１０行、第１３図）
　エ．当審の対比・判断
　（１）特許法第29条第1項3号及び同法同条第2項について
　刊行物1について
　職権更正された本件特許第3074305号公報によれば、本件発明1及び2は昭和61年4月30日に出願されたものであるから、本件発明1及び2の出願の後で出願されて公開された刊行物1が、特許法第29条第1項3号でいう刊行物に該当しないことは明らかである。
　したがって、本件発明1及び2は、特許法第29条第1項第3号に該当して、若しくは、同法同条第2項の規定に違反して特許されたものとすることはできない。
　刊行物2について
　本件発明1及び2のトーリックレンズ（光走査レンズ）を「主走査方向に沿って切断されたビーム入射側の切断形状の曲率が主走査方向の中央位置よりその両側に進むに連れ徐々に小になるとともに、前記両側までの間に曲率が正から負に変わるように設定」することは、刊行物2には記載も示唆もされておらず、当業者に周知又は自明の事項でもない。
　そして、本件発明1及び2のは、そのトーリックレンズ（光走査レンズ）を「主走査方向に沿って切断されたビーム入射側の切断形状の曲率が主走査方向の中央位置よりその両側に進むに連れ徐々に小になるとともに、前記両側までの間に曲率が正から負に変わるように設定」することにより、像面湾曲の発生が改善されるという作用効果を呈するものである。
　したがって、本件発明1及び2は、刊行物2に記載の発明に基づいて当業者が容易に発明をすることができたものとすることができないから、特許法第29条第2項の規定に違反して特許されたものとすることができない。
　（２）特許法第29条の2について
　本件発明1及び2のトーリックレンズ（光走査レンズ）は「ビーム出射側を主走査方向に沿って凹に湾曲させ」ているのに対して、刊行物1及び3に記載の光走査レンズはビーム出射側を主走査方向に沿って凸に湾曲させている。
　したがって、本件発明1及び2は、刊行物1又は3に記載された発明と同一の発明であるとすることができないから、特許法第29条の2の規定に違反して特許されたものとすることができない。
　オ．むすび
  以上のとおり、異議申立の理由及び証拠によっては、本件発明1及び2についての特許を取り消すことができない。
　また、他に本件発明1及び2についての特許を取り消すべき理由を発見しない。
　よって、結論のとおり決定する。
【異議決定日】
平成１３年６月２９日（２００１．６．２９）
【訂正の要旨】
　訂正の要旨
３−１）特許請求の範囲の請求項１及び２の「前記トーリックレンズ（光走査用レンズ）が、ビーム入射側を主走査方向に沿って凸に湾曲させる…」を特許請求の範囲の減縮を目的として「…前記トーリックレンズ（光走査用レンズ）が、主走査方向中央位置のビーム入射側を主走査方向に沿って凸に且つビーム出射側を主走査方向に沿って凹に夫々湾曲させる…」と訂正する。
３−２）【０００８】及び【０００９】の「前記トーリックレンズが、ビーム入射側を主走査方向に沿って凸に湾曲させる…」を明瞭でない記載の釈明を目的として「…前記トーリックレンズが、主走査方向中央位置のビーム入射側を主走査方向に沿って凸に且つビーム出射側を主走査方向に沿って凹に夫々湾曲させる…」と訂正する。
３−３）【００２４】及び【００２７】の「…光走査用レンズ（トーリックレンズ）が、ビーム入射側を主走査方向に沿って凸に湾曲させるとともに…」を明瞭でない記載の釈明を目的として「…光走査用レンズ（トーリックレンズ）が、主走査方向中央位置のビーム入射側を主走査方向に沿って凸に且つビーム出射側を主走査方向に沿って凹に夫々湾曲させるとともに…」と訂正する。
（５４）【発明の名称】
光走査装置及び該装置を用いた画像形成装置
（５７）【特許請求の範囲】
　【請求項１】　変調されたビームを走査する偏向器の射出側にトーリックレンズを介在させてなる光走査装置において、
　前記トーリックレンズが、
主走査方向中央位置
且つビーム出射側を主走査方向に沿って凹に夫々
　【請求項２】　変調されたビームを走査する偏向器の射出側から被記録媒体間に光走査用レンズを介在させてなる画像形成装置において、
　前記光走査用レンズが、
主走査方向中央位置
且つビーム出射側を主走査方向に沿って凹に夫々
【発明の詳細な説明】
　【０００１】
　【発明の属する技術分野】
　本発明は変調されたビームを走査する偏向器の射出側に光走査用レンズを介在させてなる光走査装置及び画像形成装置に関する。
　【０００２】
　【従来の技術】
　従来より例えば図２に示す如く、ビーム発振器１より発振された、入力情報に応じて変調されたレーザビームをコリメートレンズ２等を通して主走査方向に平行な線状集束光として回転多面鏡その他の偏向器３に入射させ、該偏向器３の回転により所定角度偏向反射されながらｆθレンズ４で等速運動に変換させた後、面倒れ補正レンズ６により前記偏向器３の偏向面３ａの副走査方向の面倒れを補正して被記録媒体５の母線上に入力情報に対応した光ドットパターンを結像走査させる光走査装置は既に公知である。
　【０００３】
　【発明が解決しようとする課題】
　そして前記面倒れ補正レンズ６には一般に主走査方向に直線状に延設するシリンドリカルレンズを用いているが、このようなシリンドリカルレンズを用いるレンズ長手方向両端側の、該レンズに斜めに入射するビームに対しては、該レンズの実効的曲率半径が小さくなり、焦点距離の短いレンズとして作用する為に、図５の一点鎖線で示すように主走査方向に直交する方向（以下副走査方向という）の像面が湾曲するという問題が発生する。
　【０００４】
　かかる欠点を解消する為に、前記シリンドリカルレンズを長手方向（主走査方向）に沿ってｆθレンズ４側の入射面が凸になるように僅かに曲げを与えたトーリックレンズを用いることにより、図６の一点鎖線に示すように、前記副走査方向の像面湾曲が矯正され、僅かに波形状になるも被記録面とほぼ合致させることが出来る。
　【０００５】
　一方、近年前記偏向器３の画角を拡げ、偏向面３ａから被記録媒体５母線までの焦点距離を短くし、装置全体の小型化を図る試みがなされているが、このように焦点距離が小さくなるに連れ、図４の一点鎖線に示すように、前記波形形状が増幅され、像面湾曲が再度発生するという問題を有す。
　【０００６】
　本発明はかかる従来技術の欠点に鑑み、像面湾曲が発生することがなく、又収差補正が可能な光走査用レンズ（すなわち集束レンズ）を用いた光走査装置及び画像形成装置を提供することを目的とする。
　また、本発明の他の目的は、面倒れ補正レンズとして適用した場合は、前記偏向器３の画角を拡げ、焦点距離を短かくしつつも前記像面湾曲が発生することがなく、又ｆθレンズとして適用した場合は収差補正が可能な、光走査用レンズ（すなわち、集束レンズ）を用いた光走査装置及び画像形成装置を提供することである。
　【０００７】
　【課題を解決するための手段】
　本発明はかかる技術的課題を達成する為に、偏向器３と被記録媒体５間に介在させた面倒れ補正レンズ６やｆθレンズ４の主走査方向に沿って切断されたビーム入射側の切断形状の曲率が、主走査方向における中央位置よりその両端に進むに連れ徐々に小なるように設定させたことを必須構成要件とする光走査用レンズ（若しくは、トーリックレンズ）を有する光走査装置及び画像形成装置を提案する。
　【０００８】
　すなわち、変調されたビームを走査する偏向器の射出側にトーリックレンズを介在させてなる光走査装置において、前記トーリックレンズが、
主走査方向中央位置
且つビーム出射側を主走査方向に沿って凹に夫々
　【０００９】
　また、変調されたビームを走査する偏向器の射出側から被記録媒体間に光走査用レンズを介在させてなる画像形成装置において、
　前記光走査用レンズが、
主走査方向中央位置
且つビーム出射側を主走査方向に沿って凹に夫々
　【００１０】
　そして、前記光走査レンズは一般にはプラスチックレンズで形成された、ビーム入射側を主走査方向に沿って凸に湾曲させたシリンドリカルレンズ、トロイダルレンズ等のトーリックレンズが適用される。
　【００１１】
　又、前記切断形状の切断方向は主走査方向であって、図１（Ｂ）に示すように、前記切断形状が主走査方向に沿って切断され、曲率半径をＲとするとその曲率（１／Ｒ）が主走査方向の中央位置Ｒ’ｃよりその両側に進むに連れ徐々に小になるとともに、前記両側までの間に曲率が正から負に変わるように設定しているので、従来のように単に湾曲しただけのトーリックレンズと比べて被記録媒体における像面湾曲の発生が改善される。
　【００１２】
　そしてこのようなレンズの断面構成を、前述したトーリックレンズに適用することにより、該トーリックレンズ自体にも像面湾曲矯正及び収差補正の機能を有する為、より一層後記する効果を円滑に達成し得る。
　【００１３】
　【発明の実施の形態】
　以下、図面に基づいて本発明の実施の形態を例示的に詳しく説明する。但し、この実施の形態に記載されている構成部品の寸法、材質、形状、その相対配置などは特に特定的な記載がない限りは、この発明の範囲をそれのみに限定する趣旨ではなく単なる説明例にすぎない。
　【００１４】
　先ず面倒れ補正レンズ６を有した光走査装置の具体的構成を図２に基づいて説明するに、偏向器３には外接円の直径が４０ｍｍで、その偏向面３ａが六面体であるポリゴンミラーを用い、その反射幅を適宜選択してｆθレンズに入射される画角が略８０°になるように設定している。そして、ｆθレンズ４は凹レンズと凸レンズの組み合わせからなる２枚構成のレンズ系を用いている。
　【００１５】
　面倒れ補正レンズ６には、図２の１点鎖線で示すように、ビーム入射側を主走査方向に沿って僅かに凸（例えば曲率半径Ｒを約７４０ｍｍ）に湾曲させ、その肉厚を約６ｍｍ、主走査方向の延設長さを約２１０ｍｍに設定したトーリックレンズ６０を用いている。
　【００１６】
　次に、本第１実施の形態を説明する。図１（Ｂ）に示すように、主走査方向に沿って切断された切断形状の曲率１／Ｒが主走査方向の中央位置Ｒ’ｃよりその両側Ｒ’ｔに進むに連れて徐々に小になるように設定されている。そして、図１（Ｂ）から明かのように前記両側Ｒ’ｔは中央位置Ｒ’ｃと比べて明らかに曲率が正から負に変化している。
　【００１７】
　このように構成することにより、面倒れ補正レンズ６１の湾曲形状がなだらかとなり、図４に示す１点鎖線Ｌ２の中心部分より右下がり部Ｌ２ａまたは、左下がり部Ｌ２ｂの下がり程度が改善される。よって、前記偏向器３の画角を拡げ、偏向面３ａから被記録媒体５母線までの焦点距離を短くし、装置全体の小型化を図る場合においても、このように焦点距離が小さくなるに連れ、前記波形形状が増幅され、像面湾曲が再度発生するという問題を解消することができる。
　【００１８】
　次に、本第２実施の形態を説明する。図１（Ａ）は、本第２実施の形態を説明する説明図である。同図において、面倒れ補正レンズ６０は、副走査方向の切断断面のビーム入射側の曲率半径Ｒを、図１（Ａ）のラインＬ１に示すように、その曲率半径Ｒが主走査方向の中央位置Ｒｃよりその両側に進むに連れ徐々に大になり、その途中に変移点Ｒｈで逆に徐々に小になるように設定している。
　【００１９】
　【実施例】
　本第２実施の形態においては、図２に示すように、偏向面３ａから被記録媒体５母線までの距離を約２２０ｍｍ、及び該母線上での光軸上におけるビーム直径が約１００μｍ程度になるよう設定している。そして、図１（Ａ）に示すように、例えば中央位置Ｒｃにおける断面形状の曲率半径Ｒを１５．９ｍｍ、該中央位置Ｒｃより略７０ｍｍ隔てた変移点Ｒｈ位置における曲率半径Ｒを１６．２ｍｍに夫々設定している。そして、さらに、副走査方向の切断断面のビーム入射側の曲率半径Ｒを、図１（Ａ）のラインＬ１に示すように、その曲率半径Ｒが主走査方向の中央位置Ｒｃよりその両側に進むに連れ徐々に大になり、その途中に変移点Ｒｈで逆に徐々に小になるように設定している。
　【００２０】
　かかる実施例において曲率半径Ｒｖを同一に設定した前記と同様なトーリックレンズ６１を比較例として用い、被記録媒体５母線上における副走査方向における像湾曲度合を調べた所、本実施例においては図３に一点鎖線で示すように、僅かに波形状になるも、その誤差は最大略５μｍ以内に収まり、被記録面とほぼ合致させることが出来る。
　【００２１】
　一方比較例においては図４の一点鎖線に示すように、大きな波形形状となり、約２０〜３０％程度ビーム直径が変化した。
　【００２２】
　これらのデータから、本実施の形態においては、精度よく被記録面と合致させることが理解される。
　【００２３】
　尚、本実施の形態においては、前記のようなトーリックレンズ６０を面倒れ補正レンズ６に適用したが、ｆθレンズにも適用することが出来る。即ち、現状ではｆθレンズの収差誤差を極力少なくする為に、複数のレンズの組み合わせから構成しているが、前記トーリックレンズ６０は副走査方向の収差誤差にも効果を有する為に、これをｆθレンズとして適用することにより、単一又は少枚数のレンズでｆθレンズが構成出来、部品点数の削減と製造の容易化が図れる。
　【００２４】
　以上詳述したように、本実施の形態は、偏向器の射出側に配置される光走査用レンズ（卜ーリックレンズ）が、
主走査方向中央位置
且つビーム出射側を主走査方向に沿って凹に夫々
　【００２５】
　そして、前記光走査レンズは一般にはプラスチックレンズで形成された、ビーム入射側を主走査方向に沿って凸に湾曲させたシリンドリカルレンズ、トロイダルレンズ等のトーリックレンズが適用される。
　【００２６】
　また、ｆθレンズとして適用した場合は、単一又は小枚数のレンズでｆθレンズを構成しつつも収差補正を行うことが出来、これにより部品点数の削減と製造の容易化が達成される。
　【００２７】
　【発明の効果】
　以上記載した如く本発明によれば、偏向器の射出側に配置される光走査用レンズ（トーリックレンズ）が、
主走査方向中央位置
且つビーム出射側を主走査方向に沿って凹に夫々
【図面の簡単な説明】
　【図１】　（Ｂ）は本発明の実施の形態に係るトーリックレンズの断面形状を示す説明図、（Ａ）は、関連技術に係るトーリックレンズの断面形状を示す説明図である。
　【図２】　本発明が適用される光走査装置を示す概略図である。
　【図３】　関連技術におけるビーム径の像面湾曲度合いを示すグラフ図である。
　【図４】　関連技術と比較する比較例におけるビーム径の像面湾曲度合いを示すグラフ図である。
　【図５】　従来例Ａにおけるビーム径の像面湾曲度合いを示すグラフ図である。
　【図６】　従来例Ｂにおけるビーム径の像面湾曲度合いを示すグラフ図である。
　【符号の説明】
１　　ビーム発振器
２　　コリメートレンズ
３　　偏向器
４　　ｆθレンズ
５　　被記録媒体
６　　面倒れ補正レンズ
６０、６１　　トーリックレンズ